(57)【特許請求の範囲】
【請求項１】
略箱状の本体ユニットと、
放射線を検出する検出ユニットであって、前記本体ユニットに対して後方側にスライドすることで前記本体ユニットの上面側に装着され、前記本体ユニットに対して前方側にスライドすることで前記本体ユニットから離脱する検出ユニットと、
を備えたサーベイメータであって、
前記本体ユニットは、ショルダーベルトの両端が取り付けられる第一取付部および第二取付部を有し、
前記第一取付部は、前記本体ユニットの周面のうち前端面に設けられ、
前記第二取付部は、前記本体ユニットの周面のうち側面、かつ、前後方向の略中央に設けられる、
ことを特徴とする可搬型のサーベイメータ。
【請求項２】
請求項１に記載のサーベイメータであって、
前記第二取付部の前後方向の位置は、サーベイメータの重心の前後方向位置近傍である、ことを特徴とするサーベイメータ。
【請求項３】
請求項１または２に記載のサーベイメータであって、
前記検出ユニットは、複数種類あり、
前記本体ユニットには、複数種類の検出ユニットの中から択一的に選択された検出ユニットが装着される、
ことを特徴とするサーベイメータ。
【請求項４】
請求項１から３のいずれか１項に記載のサーベイメータであって、
前記検出ユニットは、
前記本体ユニットに取り付けられる棒状の把持部と、
前記把持部の前端に繋がり、前記把持部より肥大したヘッド部と、
を備える、ことを特徴とするサーベイメータ。
【請求項５】
請求項４に記載のサーベイメータであって、
前記第一取付部の幅方向位置は、前記本体ユニットに装着された検出ユニットの把持部よりも、前記第二取付部寄り位置である、ことを特徴とするサーベイメータ。
【請求項６】
請求項１から５のいずれか１項に記載のサーベイメータであって、
前記本体ユニットは、その厚みが、前後方向長さおよび幅方向長さよりも小さい、略矩形の平板状である、ことを特徴とするサーベイメータ。
【請求項７】
請求項１から６のいずれか１項に記載のサーベイメータであって、
前記本体ユニットは、その上面から立脚する取っ手を有し、
前記検出ユニットは、前記取っ手に着脱自在に装着される、
ことを特徴とするサーベイメータ。
【発明の詳細な説明】
【技術分野】
【０００１】
本発明は、本体ユニットと検出ユニットとが別体となった可搬型のサーベイメータに関し、特に、サーベイメータを肩に掛けて持ち運ぶためのショルダーベルトの取付構成に関する。
【背景技術】
【０００２】
放射線管理のためサーベイメータが広く用いられている。サーベイメータは、小型可搬型の放射線測定器である。サーベイメータの中には、図１０に示すように、放射線を検出する検出ユニット１４と、演算回路や表示部を備えた本体ユニット１２と、を備えたものがある。検出ユニット１４は、ケーブル４６により本体ユニット１２に接続される。本体ユニット１２の表面からは、取っ手２２が立脚している。ユーザは、一方の手で本体ユニット１２の取っ手２２を持ち、もう一方の手で検出ユニット１４を持って、その検出面４４を測定対象に向けて測定を行う。
【０００３】
上記のように、本体ユニット１２と検出ユニット１４とが別体となっているサーベイメータでは、保管時や単に持ち運ぶ時などには、両者がばらばらになっていると不便なので、検出ユニット１４を本体ユニット１２に装着できるようになっている。すなわち、取っ手２２の上面に固定されたスライドレール２３に対し、検出ユニット１４に固定されたスライダ４８をスライドさせながら挿入することにより、検出ユニット１４を本体ユニット１２に装着することができる。
【０００４】
また、従来より、サーベイメータは、持ち運びを容易にするために、本体ユニット１２に肩掛け用のショルダーベルトを装着できるようにすることが多い。例えば、特許文献１には、こうしたショルダーベルトが装着できるサーベイメータが開示されている。特許文献１のサーベイメータでは、図１０に示すように、本体ユニット１２の前端および取っ手２２の側方に、それぞれ１つずつショルダーベルトの取付部８０，８２を設けている。ユーザは、これら２カ所の取付部８０，８２に、ショルダーベルトの両端を取り付け、このショルダーベルトを肩に掛けてサーベイメータを持ち運ぶ。
【先行技術文献】
【特許文献】
【０００５】
【特許文献１】特開２００１−００４７５７号公報
【発明の概要】
【発明が解決しようとする課題】
【０００６】
ところで、近年、サーベイメータの本体ユニットを、より薄く、より軽くすることが一部で検討されている。サーベイメータの本体ユニットをより薄く、より軽くすることで、サーベイメータの可搬性をより向上できる。しかしながら、サーベイメータの本体ユニットを薄型化、軽量化した場合、サーベイメータ全体に占める検出ユニットの重量比率が大きくなり、サーベイメータ全体としての重心位置が、従来技術と比べて、検出ユニットに近づく方向に移動する。かかるサーベイメータにおいて、ショルダーベルトの両端を、従来と同じ、本体ユニットの前端および取っ手の側方に取り付けた場合を考える。この場合、ショルダーベルトを肩に掛けたとき、検出ユニットは、本体ユニットよりも下方に傾きやすい。また、検出ユニットは、通常、図１０に示すように、把持部４０と、当該把持部４０に繋がるヘッド部４２とを備えている。特許文献１と同じ位置に取付部８０，８２を設けた場合、ショルダーベルトを肩に掛けたときに、このヘッド部４２が、下方に傾きやすくなる。ここで、検出ユニットは、その全体を取っ手に対して前方にスライドさせることで、取っ手から離脱する。ヘッド部が下方に傾くと、検出ユニットが、取っ手から離脱する方向にスライドする恐れ、ひいては、意図しない検出ユニットの離脱、落下の恐れがあった。
【０００７】
そこで、本発明では、本体ユニットが薄型化、軽量化されても安定して肩掛け保持できるサーベイメータを提供することを目的とする。
【課題を解決するための手段】
【０００８】
本発明のサーベイメータは、略箱状の本体ユニットと、放射線を検出する検出ユニットであって、前記本体ユニットに対して後方側にスライドすることで前記本体ユニットの上面側に装着され、前記本体ユニットに対して前方側にスライドすることで前記本体ユニットから離脱する検出ユニットと、を備えたサーベイメータであって、前記本体ユニットは、ショルダーベルトの両端が取り付けられる第一取付部および第二取付部を有し、前記第一取付部は、前記本体ユニットの周面のうち前端面に設けられ、前記第二取付部は、前記本体ユニットの周面のうち側面、かつ、前後方向の略中央に設けられる、ことを特徴とする。
【０００９】
好適な態様では、前記第二取付部の前後方向の位置は、サーベイメータの重心の前後方向位置近傍である。
【００１０】
他の好適な態様では、前記検出ユニットは、複数種類あり、前記本体ユニットには、複数種類の検出ユニットの中から択一的に選択された検出ユニットが装着される。他の好適な態様では、前記検出ユニットは、前記本体ユニットに取り付けられる棒状の把持部と、前記把持部の前端に繋がり、前記把持部より肥大したヘッド部と、を備える。この場合、前記第一取付部の幅方向位置は、前記本体ユニットに装着された把持部よりも、前記第二取付部寄り位置である、ことが望ましい。
【００１１】
他の好適な態様では、その厚みが、前後方向長さおよび幅方向長さよりも小さい、略矩形の平板状である。他の好適な態様では、前記本体ユニットは、その上面から立脚する取っ手を有し、前記検出ユニットは、前記取っ手に着脱自在に装着される。
【発明の効果】
【００１２】
本発明によれば、前記第一取付部は、前記本体ユニットの周面のうち前端面に設けられ、前記第二取付部は、前記本体ユニットの周面のうち側面、かつ、前後方向の略中央に設けられる。かかる構成とすれば、サーベイユニットを肩かけ保持した際に、サーベイメータは、本体ユニットがユーザの体側、検出ユニットが外側を向く横倒れした状態で、ヘッド部が斜め上方向を向く安定姿勢をとる。したがって、本体ユニットが薄型化、軽量化されても安定して肩掛け保持できる。
【図面の簡単な説明】
【００１３】
【図１】本発明の実施形態であるサーベイメータの斜視図である。
【図２】本体ユニットの斜視図である。
【図３】本体ユニットの平面図である。
【図４】本体ユニットの側面図である。
【図５】α／β線用の検出ユニットの斜視図である。
【図６】β線用の検出ユニットの斜視図である。
【図７】α／β線用の検出ユニットを装着したサーベイメータを肩かけ保持する様子を示す図である。
【図８】β線用の検出ユニットを装着したサーベイメータを肩かけ保持する様子を示す図である。
【図９】横倒れした状態における取付部と重心との位置関係を説明する図である。
【図１０】従来のサーベイユニットの斜視図である。
【図１１】薄型軽量の本体ユニットにおいて、従来技術と同じ位置に、ショルダーベルトを取り付けた際の様子を示す写真である。
【図１２】薄型軽量の本体ユニットにおいて、従来技術と同じ位置に、ショルダーベルトを取り付けた際の様子を示す写真である。
【発明を実施するための形態】
【００１４】
以下、本発明の実施形態について図面を参照して説明する。図１は、本発明の実施形態であるサーベイメータ１０の斜視図である。また、図２は、本体ユニット１２の斜視図、図３は、本体ユニット１２の平面図、図４は、本体ユニットの側面図である。また、図５は、α／β線用の検出ユニット１４の斜視図であり、図６は、β線用の検出ユニット１４の斜視図である。
【００１５】
このサーベイメータ１０は、可搬型の放射線測定装置であり、略平板状の本体ユニット１２と、当該本体ユニット１２に着脱自在の検出ユニット１４と、に大別される。本体ユニット１２と検出ユニット１４は、有線通信方式によって接続されている。なお、当然ながら、有線通信方式に替えて、無線通信方式によって、両ユニット１２，１４を接続してもよい。
【００１６】
本体ユニット１２は、箱状のケース１１を有している。このケース１１は、平面視において、前後方向長さ（図中Ｙ軸方向長さ）が、幅方向長さ（図中Ｘ軸方向長さ）よりも長い略長方形である。また、ケース１１の厚み（図中Ｚ軸方向長さ）は、前後方向長さおよび幅方向長さよりも十分に小さく、ケース１１全体としては、薄型の平板状をなしている。
【００１７】
ケース１１の表面には、タッチパネルモニタ１６や、操作ボタン１８、接続部２０が設けられている。タッチパネルモニタ１６は、液晶表示器及びタッチパネル（タッチセンサ）を備え、入力部及び表示部を兼ねたユーザインターフェースとして機能する。このタッチパネルモニタ１６には、放射線の測定値等が表示される。また、タッチパネルモニタ１６には、各種処理を指示するためのアイコン群が表示され、測定者は、アイコン群を利用して各種の入力を行ってもよい。
【００１８】
接続部２０は、検出ユニット１４から引き出されたケーブル４６のコネクタが挿し込まれるケーブルジャックである。検出ユニット１４と本体ユニット１２とは、検出ユニット１４から引き出されたケーブル４６のコネクタを、本体ユニット１２のケーブルジャック（接続部２０）に差し込むことで、接続され、コネクタをケーブルジャック（接続部２０）から抜きとることで、接続解除される。本実施形態では、一つの本体ユニット１２に対して、複数種類の検出ユニット１４を用意しており、必要に応じて、本体ユニット１２に接続される検出ユニット１４が交換できるようになっている。
【００１９】
ケース１１の上面からは、取っ手２２が立脚している。取っ手２２は、その一端が、本体ユニット１２の後端近傍に、その他端が、タッチパネルモニタ１６の隣接する位置に取り付けられたブリッジ状となっている。この取っ手２２は、本体ユニット１２の幅方向中央に位置しており、前後方向に延びている。放射線測定の際、ユーザは、一方の手で当該取っ手２２を持ち、もう一方の手で検出ユニット１４を持って、当該検出ユニット１４の検出面４４を測定対象に向ける。
【００２０】
取っ手２２の上面には、スライドレール２３が取り付けられている。検出ユニット１４に固定されたスライダ４８は、このスライドレール２３に沿って摺動可能となっている。そして、検出ユニット１４を、本体ユニット１２に対して後方に移動させて、スライドレール２３にスライダ４８を挿入することで、検出ユニット１４が、本体ユニット１２に装着される。スライドレール２３には、スライダ４８が後方に抜け落ちることを防止するストッパ（図示せず）が設けられており、これにより、検出ユニット１４の後方への抜け落ちが防止されている。本体ユニット１２に装着された検出ユニット１４は、本体ユニット１２に対して前方にスライド移動させれば、本体ユニット１２から離脱する。
【００２１】
ケース１１の周面には、二対の取付部２４ｒ，２６ｒおよび２４ｌ，２６ｌが設けられている。取付部２４ｒ，２６ｒ，２４ｌ，２６ｌは、ショルダーベルト３０が取り付けられる部位である。この取付部は、右側面に設けられた取付部２４ｒと前端面右端に設けられた取付部２６ｒが対をなし、左側面に設けられた取付部２４ｌと前端面左端に設けられた取付部２６ｌが対をなす。以下では、左右の区別をしない場合には、添え字「ｒ」および「ｌ」を省略し、単に、「側面取付部２４」、「前端取付部２６」、または、「取付部２４」「取付部２６」と呼ぶ。
【００２２】
サーベイメータ１０を持ち運ぶ際、ユーザは、対を成す二つの取付部２４，２６に、ショルダーベルト３０の両端を取り付けたうえで、当該ショルダーベルト３０を肩にかける。取付部２４，２６は、ケース１１周面から突出した略コ字状部材を有しており、この略コ字状部材とケース１１周面との間には、ショルダーベルト３０が挿通される通し孔が形成される。本実施形態では、この取付部２４，２６を、ケース１１の側面および前端面に設けているが、かかる構成とした理由については、後に詳説する。
【００２３】
本体ユニット１２の内部には、検出ユニット１４から送られてきた測定値のデータを受信する通信部、本体ユニット１２の動作を制御する制御部、及び、測定値のデータを記憶するメモリ、電力を供給するバッテリ等が内蔵されている。その測定値は、制御部の制御の下、所定の表示形式でタッチパネルモニタ１６に表示される。本体ユニット１２は、例えばＣＰＵを有しており、制御部の機能は、例えばＣＰＵがプログラムを実行することにより実現される。
【００２４】
検出ユニット１４は、放射線を検出するユニットである。検出ユニット１４の内部には、シンチレーション検出器又はＧＭ管等の放射線検出器が内蔵されている。シンチレーション検出器が採用される場合、放射線を検出するシンチレータと光電子増倍管とが検出ユニット１４に内蔵される。また、検出ユニット１４には、アンプ、波形整形回路、波高弁別回路、放射線の検出回数を計数するカウンタ、放射線の係数率や線量率等を演算する演算部、及び、その演算結果である測定値のデータを本体ユニット１２に送る通信部等が内蔵されている。検出ユニット１４は、例えばＣＰＵとメモリを有しており、カウンタ及び演算部の機能は、例えばＣＰＵがプログラムを実行することにより実現される。
【００２５】
本実施形態では、検出ユニット１４として、図５に図示するα／β線用の検出ユニット１４と、図６に図示するβ線用の検出ユニット１４と、を用意している。サーベイメータ１０を使用する際には、この２種類の検出ユニット１４の中から択一的に選択された検出ユニット１４が、本体ユニット１２に接続される。
【００２６】
二種類の検出ユニット１４は、いずれも、丸棒状の把持部４０と、当該把持部４０の前端に繋がるヘッド部４２と、を備えている。把持部４０の周面には、既述したスライドレール２３にスライド挿入されるスライダ４８と、操作ボタン５０（図１参照）と、が設けられている。また、把持部４０の後端からは、本体ユニット１２との間で電気信号を授受するためのケーブル４６が引き出されている。
【００２７】
ヘッド部４２は、把持部４０に比して大きく肥大した部位である。このヘッド部４２は、α／β線用検出ユニット１４では、略矩形に広がっている。また、ヘッド部４２の底面には、略矩形の検出面４４が設けられている。β線用検出ユニット１４のヘッド部４２は、把持部４０より大径の略円錐台形である。ヘッド部４２の前端面には、略円形の検出面４４が設けられている。
【００２８】
この検出ユニット１４を、本体ユニット１２に取り付ける際には、既述した通り、検出ユニット１４に設けられたスライダ４８を、取っ手２２に設けられたスライドレール２３に前側から挿し込んだうえで、検出ユニット１４を、本体ユニット１２に対して後方にスライドさせる。検出ユニット１４を一定量スライドさせると、スライダ４８の一部が、取っ手２２に設けられたストッパに当接し、これにより、検出ユニット１４が本体ユニット１２に対して所定の位置で静止した装着状態となる。この装着状態において、検出ユニット１４は、その長軸が、本体ユニット１２の前後軸とほぼ平行となっており、ヘッド部４２が、本体ユニット１２の前方を向くような状態となる。
【００２９】
検出ユニット１４の重量は、その種類にもよるが、ある程度の重量を有している。そのため、検出ユニット１４を、本体ユニット１２の取っ手２２に装着したとき、サーベイメータ１０全体としての重心Ｇの高さ方向位置は、図４に示す通り、取っ手２２の上端高さ付近となる。また、重心Ｇの前後方向位置は、本体ユニット１２を前後方向の略中央（本体ユニット１２を前後方向に三分割した際の真ん中の領域内）に位置する。
【００３０】
ここで、サーベイメータ１０は、可搬型の放射線測定装置であり、サーベイメータ１０は、本体ユニット１２に検出ユニット１４を装着した状態で、持ち運ばれることが多い。このサーベイメータ１０の持ち運びを容易にするために、従来から、サーベイメータ１０に肩かけ用のショルダーベルト３０を取り付けることが提案されており、本実施形態でもショルダーベルト３０を設けている。
【００３１】
しかし、本実施形態のように、本体ユニット１２が軽量薄型化され、本体ユニット１２に対する検出ユニット１４の重量比率が増加したサーベイメータ１０の場合、ショルダーベルト３０の取り付け位置を十分に考慮しなければ、サーベイメータ１０を安定して肩かけ保持できないという問題があった。これについて、従来技術を例に挙げて説明する。なお、以下の説明では、方向についての理解を容易にするために、サーベイメータ１０の幅方向をＸ方向、前後方向をＹ方向、厚み方向をＺ方向と呼び、サーベイメータ１０を保持するユーザの幅方向をＡ方向、前後方向をＢ方向、高さ方向をＣ方向と呼ぶ。
【００３２】
図１０は、従来のサーベイメータ１０の概略斜視図である。図１０に示すように、従来のサーベイメータ１０の本体ユニット１２は、本実施形態のサーベイメータ１０の本体ユニット１２に比して、厚みが大きく、また、重い。この場合、本体ユニット１２に検出ユニット１４を装着した状態での、サーベイメータ１０全体の重心Ｇは、本体ユニット１２のＸ方向中心、かつ、Ｙ方向中心よりやや前方寄り、かつ、Ｚ方向中心よりやや検出ユニット１４寄りの位置、すなわち、図１０における軸Ｓ１と軸Ｓ２の交点付近であった。
【００３３】
かかるサーベイメータ１０を肩かけ保持するために、従来技術では、本体ユニット１２の前端面の右端に前側取付部８０を、取っ手２２の左側面の後端に後側取付部８２を、それぞれ設けていた。この二つの取付部８０，８２に、ショルダーベルト３０の両端を取り付けたうえで、当該ショルダーベルト３０を肩に掛けることで、サーベイメータ１０が肩かけ保持されていた。従来は、この肩かけ保持の際、本体ユニット１２が下、検出ユニット１４が上側に位置する正立姿勢でサーベイメータ１０を保持していた。この場合、サーベイメータ１０の重心は、サーベイメータ１０の支持点である取付部８０，８２よりもＡ方向下側（鉛直方向下側）に位置する。このように、重心が支持点よりも鉛直方向下側にあるため、本体ユニット１２が厚く、かつ、重いときには、サーベイメータ１０は、正立姿勢の状態で安定して肩かけ保持される。
【００３４】
しかし、こうした取付部８０，８２の位置は、本体ユニット１２が薄型化、軽量化され、その重心位置が、検出ユニット１４寄りに大きく移動した場合には、いくつかの問題があった。これについて、図１１、図１２を参照して説明する。図１１、図１２は、薄型軽量の本体ユニット１２において、従来技術と同じ位置（本体ユニット１２の前端面右端および取っ手２２の左側面後端）に、ショルダーベルト３０を取り付けた際の様子を示す写真である。
【００３５】
本体ユニット１２が薄型・軽量化された場合、サーベイメータ１０全体の重心Ｇは、前側取付部８０よりも大幅に検出ユニット１４側に位置し、後側取付部８２とほぼ同じ高さに位置することになる。この場合、サーベイメータ１０を正立姿勢で肩かけ保持しようとすると、当該サーベイメータ１０の重心Ｇ（取っ手２２付近）は、サーベイメータ１０の支持点である取付部８０，８２よりも鉛直方向上側に位置し、不安定な状態となる。その結果、サーベイメータ１０は、重心が支持点（取付部）より下方になるようにＢ方向軸回りに傾き、図１１に示すように、本体ユニット１２がユーザの体側、検出ユニット１４が外側になる横倒し姿勢になりやすい。さらに、図１１の姿勢で、長時間、肩かけ保持すると、ヘッド部４２の自重により、サーベイメータ１０がＺ軸（横倒し姿勢における水平軸）回りに回転し、検出ユニット１４が斜め下向きの姿勢になりやすい。この場合、ユーザの意図に反して、検出ユニット１４が自重により、取っ手２２から離脱する方向にスライドするおそれがあった。
【００３６】
ここで、図１２に示すように、サーベイメータ１０のうち検出ユニット１４が上、本体ユニット１２が下に位置する正立姿勢にした状態で、後側取付部８２から延びるショルダーベルト３０を、検出ユニット１４の把持部４０に引っ掛けておくことも考えられる。かかる構成とすれば、サーベイメータ１０のＢ方向軸回りの傾きを防止できる。そして、結果として、ヘッド部４２が意図せずに下方に向くことを一応防止できる。しかし、サーベイメータ１０の傾きを防止するために、ショルダーベルト３０が把持部４０に引っ掛かった状態を維持するように、随時、ショルダーベルト３０の位置を確認・調整しなければならない。こうしたショルダーベルト３０の確認・調整作業は、ユーザにとって手間であった。また、図１２の状態では、ショルダーベルト３０が把持部４０に当たり、把持部４０には、常時、Ｘ方向の負荷がかかることになり、スライダ４８やレール、把持部４０の劣化を招くおそれもあった。
【００３７】
つまり、本体ユニット１２が薄型・軽量化された場合、従来と同じ位置に取付部を設けても、サーベイメータ１０を安定して肩かけ保持できない。そこで、本実施形態では、本体ユニット１２が薄型・軽量化されても、安定して肩かけ保持できるように、取付部２４，２６を、本体ユニット１２の前端面および側面に設けている。これについて、詳説していく。
【００３８】
本実施形態では、既述した通り、二対の取付部２４ｒ，２６ｌおよび２４ｌ，２６ｌが設けられている。この二対の取付部２４ｒ，２６ｒおよび２４ｌ，２６ｌの構成や効果は、ほぼ同じであるため、以下では、右側面の取付部２４ｒおよび前端面右端の取付部２６ｒの構成および効果について説明する。なお、以下の説明では、右側面の取付部を「側面取付部」、前端面右端の取付部を「前端取付部」と呼ぶ。
【００３９】
前端取付部２６は、本体ユニット１２の前端面のうち、取っ手２２よりも、対をなす側面取付部２４に近い位置に設けられている。側面取付部２４は、本体ユニット１２の右側面のうちＹ方向略中央に設けられている。ここで、「Ｙ方向略中央」とは、本体ユニット１２をＹ方向に三分割したうちの真ん中の範囲内をいう。このＹ方向略中央とは、サーベイメータ１０の重心ＧのＹ方向位置付近である。つまり、本実施形態において、側面取付部２４のＹ方向位置は、サーベイメータ１０の重心ＧのＹ方向位置付近となっている。
【００４０】
この側面取付部２４および前端取付部２６にショルダーベルト３０の両端を取り付け、当該ショルダーベルト３０を肩に掛けた場合について、図７〜図９を参照して説明する。図７、図８は、サーベイメータ１０を肩かけ保持した際の様子を示す図である。また、図９は、横倒し状態のサーベイメータ１０の重心と取付部２４，２６との位置関係を示す図である。
【００４１】
本実施形態において、サーベイメータ１０の重心ＧのＣ方向位置は、二つの取付部のＣ方向位置よりも高くなる。したがって、本実施形態でも、サーベイメータ１０を、検出ユニット１４が上、本体ユニット１２が下になる正立姿勢で肩かけ保持するのは難しく、図１１の場合と同様に、本体ユニット１２がユーザの体側、検出ユニット１４が外側を向くような横倒し姿勢となる。この横倒し姿勢となったときの、支持点（取付部２４，２６）と重心Ｇとの位置関係を考える。図９に示す通り、正立姿勢から、横倒し姿勢になったとき、重心Ｇの位置は、側面取付部２４のほぼ真下に位置する。この場合、重心Ｇは、より安定するために、二つの支持点（取付部２４，２６）の間に移動しようとする。その結果、サーベイメータ１０は、下方に近づく方向（図９のＲ方向）に、Ｚ方向軸回りに回転していく。そして、最終的には、図７、図８に示すように、ヘッド部４２が斜め上方向を向くような姿勢で安定する。この状態になれば、検出ユニット１４が、スライダ４８から抜け落ちる心配はないため、ユーザは、安心して、サーベイメータ１０を持ち運ぶことができる。また、検出ユニット１４に、ショルダーベルト３０が引っ掛からないため、検出ユニット１４に不要な負荷がかからず、スライダ４８やスライドレール２３、把持部４０の劣化を効果的に防止できる。
【００４２】
次に、取付部２４，２６の位置のバリエーションについて検討していく。はじめに、側面取付部２４を、前後方向（Ｙ方向）略中央に設けた理由について検討する。既述した通り、本実施形態では、サーベイメータ１０が横倒し姿勢になったとき、重心Ｇが、二つの取付部２４，２６の間に位置しようとして傾いていくことで、ヘッド部４２が斜め上方向を向くような安定姿勢を取る。側面取付部２４を、後端部近傍、図９における位置Ｐ１に設けた場合、横倒し姿勢になった時点で、重心Ｇは、二つの取付部２４，２６の間に位置することになり、ヘッド部４２が斜め上方向に向きにくくなる。この場合、ちょっとしたきっかけ（例えば、サーベイメータ１０を肩かけ保持している状態で人にぶつかったなど）で、ヘッド部４２が、下方に向くおそれがあった。したがって、側面取付部２４を、側面のうち後端寄りの位置に設けることは望ましくないと言える。
【００４３】
次に、側面取付部２４を前端近傍、例えば、図９における位置Ｐ２に設けた場合を考える。この場合、サーベイメータ１０は、横倒し姿勢になった後、二つの取付部２４，２６の間に位置しようとして、ヘッド部４２が上を向く方向に回転していく。つまり、側面取付部２４を前端近傍に設けた場合、前後方向中央に設けた場合と同様に、ヘッド部４２が斜め上方向を向いた姿勢を取りやすくなる。しかし、この場合、二つの取付部２４，２６（支持点）間の距離Ｌ１が小さくなるため、一点支持に近い状態になり、取付部２４，２６回りでの回転が生じやすくなる。
【００４４】
つまり、側面取付部２４は、後端寄り（前端取付部２６から離れた位置）に設けた場合、重心Ｇとの関係で、安定姿勢を取りにくくなり、前端寄り（前端取付部２６に近い位置）に設けた場合、前端取付部２６との関係で、回転が生じやすくなる。以上のことから、側面取付部２４は、本体ユニット１２の前後方向略中央が望ましいと言える。また、本来、側面取付部２４は、その前後方向位置が、サーベイメータ１０の重心Ｇの前後方向位置となるのが最も望ましい。しかし、本実施形態では、本体ユニット１２に装着される検出ユニット１４が、適宜、交換可能であり、装着される検出ユニット１４によって、サーベイメータ１０の重心Ｇの位置が変化する。したがって、側面取付部２４の前後方向位置を、サーベイメータ１０の重心Ｇの前後方向位置と、常に、一致させるのは、難しい。こうした事情を考慮すると、側面取付部２４は、本体ユニット１２の側面のうち前後方向略中央であれば、十分であるといえる。
【００４５】
次に、前端取付部２６の位置について検討する。前端取付部２６を、側面取付部２４から離れた位置、例えば、図９の位置Ｐ３や位置Ｐ４に設ける場合を考える。この場合、側面取付部２４との距離Ｌ１が大きくなるため、取付部回りでの回転が生じにくいという利点がある一方で、前端取付部２６から延びるショルダーベルト３０が、ヘッド部４２に干渉しやすいという問題が生じる。かかる問題は、ショルダーベルト３０を、ヘッド部４２と本体ユニット１２の間を通るように取り回せば解決できるため、位置Ｐ３や位置Ｐ４への設置は、完全に排除されるものではない。しかし、こうしたショルダーベルト３０の取り回しを別途行うのは、ユーザにとって手間であるため、前端取付部２６は、少なくとも、前端面のうち、幅方向位置が取っ手２２よりも側面取付部２４寄りの位置に設けることが望ましいといえる。
【００４６】
なお、これまで説明した構成は、一例であり、ショルダーベルト３０の取付部２４，２６が、本体ユニット１２の前端面と、側面の前後方向略中央と、に設けられるのであれば、その他の構成は、適宜、変更されてもよい。例えば、本実施形態では、本体ユニット１２に取っ手２２を設け、当該取っ手２２に検出ユニット１４を取り付けている。しかし、こうした取っ手２２を省略し、本体ユニット１２の表面に、直接、検出ユニット１４を装着するようにしてもよい。また、本実施形態では、検出ユニット１４を交換可能としているが、一つの本体ユニット１２に対応する検出ユニット１４は、一つだけ（交換不可）としてもよい。また、本実施形態では、側面取付部２４および前端取付部２６を二対設けているが、これは、一対のみでもよい。さらに、本明細書で例示した本体ユニット１２、検出ユニット１４の形状等は、全て一例であり、適宜、異なる形状に変更されてもよい。
【符号の説明】
【００４７】
１０  サーベイメータ、１１  ケース、１２  本体ユニット、１４  検出ユニット、１６  タッチパネルモニタ、１８  操作ボタン、２０  接続部、２２  取っ手、２３  スライドレール、２４  側面取付部、２６  前端取付部、３０  ショルダーベルト、４０  把持部、４２  ヘッド部、４４  検出面、４６  ケーブル、４８  スライダ、５０  操作ボタン、８０  前側取付部、８２  後側取付部、Ｇ  重心。
【要約】
【課題】本体ユニットが薄型化、軽量化されても安定して肩掛け保持できるサーベイメータを提供する。
【解決手段】サーベイメータ１０は、略箱状の本体ユニット１２と、放射線を検出する検出ユニット１４であって、前記本体ユニット１２に対して後方側にスライドすることで前記本体ユニット１２の上面側に装着され、前記本体ユニット１２に対して前方側にスライドすることで前記本体ユニット１２から離脱する検出ユニット１４と、を備える。前記本体ユニット１２は、ショルダーベルト３０の両端が取り付けられる前端取付部２６および側面取付部２４を有し、前端取付部２６は、前記本体ユニット１２の周面のうち前端面に設けられ、側面取付部２４は、前記本体ユニット１２の周面のうち側面、かつ、前後方向の略中央に設けられる。
【選択図】図７【図１】
0005978433.tif 000002
【図２】
0005978433.tif 000003
【図３】
0005978433.tif 000004
【図４】
0005978433.tif 000005
【図５】
0005978433.tif 000006
【図６】
0005978433.tif 000007
【図７】
0005978433.tif 000008
【図８】
0005978433.tif 000009
【図９】
0005978433.tif 000010
【図１０】
0005978433.tif 000011
【図１１】
0005978433.tif 000012
【図１２】
0005978433.tif 000013